(57)【特許請求の範囲】
【請求項１】
ビデオ装置であって、
前記ビデオ装置を表示ユニットに結合するためのビデオポートと、
第１のビデオコンテンツを供給するためのビデオコンテンツ源と、
前記第１のビデオコンテンツ及び重畳ビデオコンテンツの両方を有する出力ビデオ信号を生成し、前記出力ビデオ信号を前記ビデオポートに供給するための重畳プロセッサと、
前記表示ユニットによる前記出力ビデオ信号の提示を示す提示特性を、前記表示ユニットから受信するための手段と、
を有し、前記重畳プロセッサは、前記提示特性に応じて、前記重畳ビデオコンテンツの特性を調節するように構成され、
前記提示特性は、前記出力ビデオ信号の提示のための提示ウィンドウのアスペクト比を示し、
前記重畳プロセッサは、前記アスペクト比に応じて、前記重畳ビデオコンテンツの高さを修正するビデオ装置。
【請求項２】
前記提示特性は、前記出力ビデオ信号のための提示ウィンドウのための提示ウィンドウ特性を有し、前記提示ウィンドウ特性は、前記提示ウィンドウのサイズ及び位置のうちの少なくとも１つを有する、請求項１に記載のビデオ装置。
【請求項３】
前記第１のビデオコンテンツに対応する前記出力ビデオ信号のウィンドウのためのコンテンツウィンドウ特性を決定するための手段を更に有し、前記重畳プロセッサは更に、前記コンテンツウィンドウ特性に応じて、前記重畳ビデオコンテンツの特性を調節するように構成された、請求項１または２に記載のビデオ装置。
【請求項４】
前記重畳プロセッサは、前記提示特性に応じて、前記重畳ビデオコンテンツの重畳ビデオオブジェクトの位置を選択するように構成された、請求項１から３のいずれか１項に記載のビデオ装置。
【請求項５】
前記重畳プロセッサは、前記提示特性に応じて、前記重畳ビデオコンテンツの重畳ビデオオブジェクトの大きさを選択するように構成された、請求項１から４のいずれか１項に記載のビデオ装置。
【請求項６】
前記重畳プロセッサは、前記提示特性に応じて、前記重畳ビデオコンテンツの重畳ビデオオブジェクトの幾何学的歪を選択するように構成された、請求項１から５のいずれか１項に記載のビデオ装置。
【請求項７】
前記提示特性は、前記出力ビデオ信号の現在の可視ウィンドウの特性を示し、前記重畳プロセッサは、前記現在の可視ウィンドウ内となるように前記重畳ビデオコンテンツを調節するように構成された、請求項１から６のいずれか１項に記載のビデオ装置。
【請求項８】
前記提示特性は、表示される信号のためのアスペクト比を有し、前記重畳プロセッサは、前記アスペクト比及び前記出力ビデオ信号のためのアスペクト比に応じて、前記現在の可視ウィンドウを決定するように構成された、請求項７に記載のビデオ装置。
【請求項９】
前記重畳プロセッサは、前記現在の可視ウィンドウの端に隣接するように少なくとも１つのグラフィックオブジェクトの位置を変更するように構成された、請求項７または８に記載のビデオ装置。
【請求項１０】
前記重畳プロセッサは、前記第１のビデオコンテンツに対応するウィンドウが前記現在の可視ウィンドウよりも小さい場合には、前記第１のビデオコンテンツに対応するウィンドウの外であって前記現在の可視ウィンドウ内である位置に、前記重畳ビデオコンテンツの少なくとも幾分かを配置するように構成された、請求項７から９のいずれか１項に記載のビデオ装置。
【請求項１１】
前記提示特性は、前記出力ビデオ信号の現在の可視ウィンドウのサブウィンドウの特性を示し、前記重畳プロセッサは、前記サブウィンドウ内となるように前記重畳ビデオコンテンツを調節するように構成された、請求項１から１０のいずれか１項に記載のビデオ装置。
【請求項１２】
前記ビデオコンテンツ源は、前記提示特性に応じて、前記第１のビデオコンテンツのパラメータを変更するように構成された、請求項１から１１のいずれか１項に記載のビデオ装置。
【請求項１３】
前記パラメータはアップスケーリングパラメータである、請求項１２に記載のビデオ装置。
【請求項１４】
ビデオ装置を表示ユニットに結合するためのビデオポートを含むビデオ装置のための動作の方法であって、前記方法は、
第１のビデオコンテンツを供給するステップと、
前記第１のビデオコンテンツ及び重畳ビデオコンテンツの両方を有する出力ビデオ信号を生成するステップと、
前記出力ビデオ信号を前記ビデオポートに供給するステップと、
前記表示ユニットによる前記出力ビデオ信号の提示を示す提示特性を、前記表示ユニットから受信するステップと、
前記提示特性に応じて、前記重畳ビデオコンテンツの特性を調節するステップと、
を有し、
前記提示特性は、前記出力ビデオ信号の提示のための提示ウィンドウのアスペクト比を示し、
前記重畳ビデオコンテンツの特性を調節するステップは、前記アスペクト比に応じて、前記重畳ビデオコンテンツの高さを修正する方法。
【発明の詳細な説明】
【技術分野】
【０００１】
本発明は、表示システムにおけるビデオ信号の表示に関し、特に、限定するものではないが、テレビジョン又はモニタにおけるビデオコンテンツの提示に関する。
【背景技術】
【０００２】
ビデオコンテンツの提示は、ますます普及し多様なものとなってきている。特に、種々のビデオコンテンツの増大する量は、増大する種々のビデオ源により生成される。更に、種々のタイプのビデオコンテンツがますます組み合わせられてきており、複数のビデオコンテンツタイプが同時に提示されている。例えば、主ビデオコンテンツ（例えば映画又はその他の動画ビデオクリップ）を、例えばユーザインタフェースグラフィクス、字幕、放送局ロゴ等のような付加的なビデオグラフィクス又はオブジェクトに重畳することがよく利用されている。別の例としては、主ビデオコンテンツを、例えば二次的なビデオ番組（例えばピクチャインピクチャ効果を提供する）のような他の動画ビデオコンテンツに重畳することが提案されている。
【発明の概要】
【発明が解決しようとする課題】
【０００３】
ビデオ源の増大する種類に加えて、増大する種類のディスプレイも導入されてきている。例えば、コンピュータのモニタは、異なる形式、サイズ、解像度等で製造され得る。別の例としては、種々のアスペクト比（４：３や１６：９、更に最近では２．３９：１又は２１：９のアスペクト比）を持つテレビジョンが導入されてきている。更に、描画品質及び描画処理は、略個々の表示システム毎に異なり得、実際に例えば提示されているビデオコンテンツの特性に動的に依存して切り換わり得る。例えば、ワイド画面テレビジョンは、種々のビューモード（例えばパン及びスキャンクロッピング（cropping）、ピラーボックスウィンドウ、レターボックスウィンドウ、幾何学的歪、等）を適用し得る。
【０００４】
斯くして、ビデオコンテンツの生成、処理及び提示における変化を補償するための幾分かの適合又は調節を可能とし得る、より柔軟な表示手法が提供されることが望ましい。
【０００５】
従って、本発明の目的は、単独で又は何らかの組み合わせで、上述した不利点の１つ以上を好適に軽減、緩和又は除去することにある。
【課題を解決するための手段】
【０００６】
本発明の一態様によれば、ディスプレイと、前記ディスプレイにおける提示のための第１のビデオコンテンツを有するビデオ信号を受信するための手段と、前記ディスプレイにおける前記第１のビデオコンテンツの提示のための第１の提示特性を決定するための手段と、前記第１の特性に応じて、前記第１のビデオコンテンツと同時の前記ディスプレイにおける第２のビデオコンテンツの提示のための提示特性を決定するための手段と、前記提示特性を前記第２のビデオコンテンツの外部源に伝達するための手段と、を有する表示装置が提供される。
【０００７】
本発明は、ビデオコンテンツの改善された提示を提供し得る。特に、現在の特性及び状況に対する、第２のビデオコンテンツの改善された適合及びカスタマイズが実現され得る。描画特性の動的な通信は、現在の状況に対する適合を提供し得る。
【０００８】
多くの実施例において、該手法は例えば、ユーザインタフェースグラフィクス、ビデオオブジェクト、字幕、ロゴ、又はＭＨＥＧ（Multimedia and Hypermedia Experts Group）若しくはＭＨＰ（Multimedia Home Platform）データ等のようなインタラクティブ型アプリケーションからのデータのような二次的なビデオコンテンツが、ディスプレイの現在の動作に対して、及び該ディスプレイの特性に対して、適切に提示されることを可能とし得る。例えば該手法は、どのビューモードが表示ユニットにより適用されているかにかかわらず、及び第１のビデオコンテンツの特性にかかわらず、第２のビデオコンテンツが常に、現在の提示ウィンドウの可視領域内にあることを、外部ビデオ源が確実にすることを可能とし得る。このことは例えば、表示装置が、例えば第１のビデオコンテンツの現在のアスペクト比に依存して提示特性／ウィンドウを適合させるように構成されたシステムにおいて、特に有利である。
【０００９】
本手法は更に、容易化された操作、実装又は設計を可能とし得る。例えば、外部源及び／又は表示装置の低減された処理がしばしば実現され得る。なぜなら、第２のビデオコンテンツが、提示特性に基づいて適合されることができ、それにより表示装置又は外部源における他のビデオ処理の必要性を除去するからである。例えば、外部源は、第１のビデオコンテンツの特性を決定するためにビデオ信号を処理する必要がなく、表示システム中の処理は多くの実施例において低減され得る。なぜなら、第２のビデオコンテンツは既に、適切な特性を持って生成されており、それ故更なる処理又は特定の考察が必要なくなり得るからである。
【００１０】
特に、本発明者は、幾つかの表示システムは異なる使用条件に対して動作を適合し得るものの、斯かる適合は提示されている主ビデオコンテンツに依存することが多いことを認識した。本発明者は特に、斯かる適合は、主ビデオコンテンツと同時に提示されている二次的ビデオコンテンツの提示に悪影響を及ぼし得ることを認識した。本発明者は、二次的ビデオコンテンツの供給源に情報を提供し、第１のビデオコンテンツの提示の結果として二次的ビデオコンテンツに適用されることとなる現在の提示特性に応じて、該二次的ビデオコンテンツが適合されることを可能とすることにより、斯かる悪影響が軽減され得ることを認識した。
【００１１】
該表示特性は、第２のビデオコンテンツの描画／提示の特性及び／又は提示に先立つ第２のビデオコンテンツの処理の特性であっても良い。外部源は、第１のビデオコンテンツをも提供しても良い。特に、ビデオ信号は、第１のビデオコンテンツと第２のビデオコンテンツとの両方を有しても良い。幾つかの実施例においては、外部源はビデオ信号の供給源とは別のものである。第２のビデオコンテンツは例えば、第２のビデオ信号として、ビデオ信号の一部として、又は例えばデータを特徴付けるグラフックオブジェクトのような第２のビデオコンテンツを記述するデータとして、供給されても良い。
【００１２】
第２のビデオコンテンツは特に、第１のビデオコンテンツに対して、１つ以上のグラフィックオブジェクト又はビデオオブジェクトのようなビデオコンテンツを重畳しても良い。
【００１３】
本発明の任意の特徴によれば、前記提示特性は、前記第２のビデオコンテンツの提示のための表示ウィンドウのサイズと、前記第２のビデオコンテンツの提示のための表示ウィンドウのアスペクト比と、前記第２のビデオコンテンツの提示のための表示ウィンドウの位置と、前記第１のビデオコンテンツの提示のための表示ウィンドウのサイズと、前記第１のビデオコンテンツの提示のための表示ウィンドウのアスペクト比と、前記第１のビデオコンテンツの提示のための表示ウィンドウの位置と、前記第２のビデオコンテンツの提示のための画素値範囲と、前記第１のビデオコンテンツの提示のための画素値範囲と、色特性と、のうちの少なくとも１を示す。
【００１４】
このことは、多くの実施例において非常に有利な適合を提供し得る。
【００１５】
本発明の任意の特徴によれば、前記提示特性は提示ウィンドウ特性である。
【００１６】
このことは、多くの実施例において非常に有利な適合を提供し得る。例えば、提示ウィンドウ特性は、第２のビデオコンテンツのための描画／提示（サブ）ウィンドウを示し得る。例えば、表示装置は、第１のビデオコンテンツ及び提示ウィンドウ特性が、クロッピングに続いて可視となるビデオ信号の表示形式内で安全なウィンドウを示し得る場合に、ビデオ信号をクロッピングしても良い。このことは、外部源が、第２のビデオコンテンツが安全な可視ウィンドウに制限されることを確実にすることを可能とし得る。
【００１７】
本発明の任意の特徴によれば、前記表示装置は更に、前記ディスプレイのためのフル表示ウィンドウの示唆を前記外部源に伝達するように構成される。
【００１８】
このことは、多くの実施例において非常に有利な適合を提供し得る。とりわけ、描画ウィンドウ特性は、フル表示ウィンドウに応じたものとなり得る。例えば、描画ウィンドウ特性は、現在の提示ウィンドウが１６：９のアスペクト比を持つことを示し得、フル表示ウィンドウの示唆が、１６：９のウィンドウが１６：９のアスペクト比のディスプレイに表示されているか２．３９：１のアスペクト比のディスプレイに表示されているかに依存して、外部源が第２のビデオコンテンツを適合させることを可能とし得る。
【００１９】
本発明の任意の特徴によれば、前記表示装置は更に、前記第１のビデオコンテンツのための種々の提示ウィンドウモード間を切り換えるように構成され、前記提示ウィンドウ特性は現在の提示ウィンドウモードを示す。
【００２０】
このことは、多くの実施例において非常に有利な適合を提供し得る。描画／提示モードの切り換えは、第１のビデオコンテンツの特性に応じたものであっても良いし（例えばアスペクト比が第１のビデオコンテンツのアスペクト比に依存して選択されても良い）、又は例えば手動のユーザ選択であっても良い。提示ウィンドウパラメータは例えば、一定間隔で送信されても良いし、及び／又は提示ウィンドウ切り換えモードが生じたときに送信されても良い。
【００２１】
本発明の任意の特徴によれば、前記提示特性は、前記ディスプレイにおいて提示されたときの前記第１のビデオコンテンツの幾何学的歪を示す。
【００２２】
このことは、多くの実施例において改善された適合を提供し得る。例えば、多くの表示システムにおいて、（例えば４：３信号を介して１６：９形式を通信するため又は１６：９信号を介して２．３９：１形式を通信するために）ビデオ源においてアナモルフィック圧縮が実行され得、表示装置におけるアナモルフィック伸長によって後続される。この場合には、描画特性は、幾何学的歪（この場合にはアナモルフィック伸長）が実行されたか否かを示し得る。これに応じて、外部源は当該情報を用いて、第２のビデオコンテンツに幾何学的事前歪を適用すべきか否かを決定し得る。
【００２３】
本発明の任意の特徴によれば、前記提示特性は、前記第２のビデオコンテンツを提示するための二次的表示手段の利用可能性を示す。
【００２４】
このことは、多くの実施例において改善された適合を提供し得る。特に、第２のビデオコンテンツが、ディスプレイの種々の選択肢に合致するよう生成されることを可能とする。例えば、表示装置が任意の第２の表示要素を持つ場合、第２のビデオコンテンツは、当該第２のディスプレイにおける表示のために提供され（例えば壁に投射される）、否であれば、同一のディスプレイにおける提示のために第１のビデオコンテンツに組み合わせられる／重畳される。描画特性は、二次的な表示手段の特性を示し得る。例えば、描画特性は、第２の表示手段により提示されることができる選択肢を識別し得る（従って更には例えば第１及び第２のディスプレイの表示色が調整され得る）。
【００２５】
本発明の一態様によれば、ビデオ装置であって、前記ビデオ装置を表示ユニットに結合するためのビデオポートと、第１のビデオコンテンツを供給するためのビデオコンテンツ源と、前記第１のビデオコンテンツ及び重畳ビデオコンテンツの両方を有する出力ビデオ信号を生成し、前記出力ビデオ信号を前記ビデオポートに供給するための重畳プロセッサと、前記表示ユニットによる前記出力ビデオ信号の提示を示す提示特性を、前記表示ユニットから受信するための手段と、を有し、前記重畳プロセッサは、前記提示特性に応じて、前記重畳ビデオコンテンツの特性を調節するように構成されたビデオ装置が提供される。
【００２６】
本発明は、重畳／二次的ビデオコンテンツの改善された提示を提供し得る。とりわけ、現在の特性及び状況に対する、重畳／二次的ビデオコンテンツの改善された適合及びカスタマイズが実現され得る。ディスプレイにより実行される現在の提示／描画特性に対する重畳／二次的ビデオコンテンツの動的な適合が、実現され得る。現在の提示／描画特性は、第１の／主ビデオコンテンツに依存し得る。
【００２７】
多くの実施例において、該手法は例えば、ユーザインタフェースグラフィクス、ビデオオブジェクト、字幕、ロゴ等のような、リモートの供給源により生成された重畳ビデオコンテンツが、ディスプレイの現在の動作に対して、及びディスプレイの特性に対して、適切に提示されることを可能とし得る。従って、種々のディスプレイ、種々の描画モード、及び特性等に対する、自動的な適合が実現され得る。例えば本手法は、第２のビデオコンテンツの重畳を、現在の提示ウィンドウの可視エリア内となることが確実となるように、ビデオ装置が適合させることを可能とし得る。このことは例えば、表示装置が、例えば第１のビデオコンテンツの現在のアスペクト比に依存して提示特性／ウィンドウを適合させるように構成されたシステムにおいて、特に有利である。
【００２８】
本手法は更に、容易化された操作、実装又は設計を可能とし得る。例えば、ビデオ装置及び／又は表示ユニットの低減された処理がしばしば実現され得る。なぜなら、第２のビデオコンテンツが、提示特性に基づいて適合されることができ、それにより表示ユニット又は外部源における他のビデオ処理の必要性を除去するからである。例えば、ビデオ装置は、第１のビデオコンテンツの特性を決定するためにビデオ信号を処理する必要がなく、表示システム中の処理は多くの実施例において低減され得る。なぜなら、第２のビデオコンテンツは既に、適切な特性を持って生成されているからである。
【００２９】
重畳ビデオコンテンツは特に、第１のビデオコンテンツに関連して変更されても良い。例えば、重畳ビデオコンテンツの特性（例えばサイズ、アスペクト比、色等）が、第１のビデオコンテンツに同じ変化を適用することなく、表示特性に依存して設定されても良い。とりわけ、第１のビデオコンテンツは表示特性とは独立したものであっても良く、例えば一定のものであって表示ユニットから受信されたいずれの信号によっても影響を受けないものであっても良い。
【００３０】
提示特性は、第２のビデオコンテンツの描画若しくは提示の特性、及び／又は表示ユニットによる第２のビデオコンテンツの処理の特性であっても良い。
【００３１】
表示ユニットは、請求項１の表示装置であっても良い。ビデオ装置は、請求項１の外部源であっても良い。幾つかの実施例においては、出力ビデオ信号は、固定されたアスペクト比のような、固定された形式を持ち得る。重畳プロセッサは、ビデオ信号に重畳ビデオコンテンツを重畳しても良い。出力ビデオ信号は特に、第１のビデオコンテンツと重畳ビデオコンテンツとの両方を有するビデオフレームを有しても良い。提示特性は特に、表示ユニットによる第１のビデオコンテンツの提示を示しても良い。
【００３２】
本発明の任意の特徴によれば、前記提示特性は、前記出力ビデオ信号のための提示ウィンドウのための描画ウィンドウ特性を有し、前記提示ウィンドウ特性は、前記提示ウィンドウのアスペクト比、サイズ及び位置のうちの少なくとも１つを有する。
【００３３】
このことは、特に有利なビデオコンテンツの重畳を提供し得る。とりわけ、表示ユニットの現在の描画／提示特性に対してビデオコンテンツの重畳を適合させるための特に有利な手法を実現し得る。例えば、表示ユニットにより利用されている種々のアスペクト比に対して重畳が自動的に適合され、それにより全ての重畳ビデオコンテンツが可視となることを確実としつつ、利用可能なウィンドウ全体が利用されることを可能とし得る。
【００３４】
本発明の任意の特徴によれば、前記ビデオ装置は、前記第１のビデオコンテンツに対応する出力ビデオ信号のウィンドウのためのコンテンツウィンドウ特性を決定するための手段を更に有し、前記重畳プロセッサは更に、前記コンテンツウィンドウ特性に応じて、前記重畳ビデオコンテンツの特性を調節するように構成される。
【００３５】
このことは、特に有利なビデオコンテンツの重畳を提供し得る。特に、多くの実施例において、表示ユニットは、主ビデオコンテンツの形式に依存して、クロッピング又はアスペクト比のような提示特性を適合させ得、該特徴は該ビデオ装置がこのことを考慮に入れることを可能とし得る。
【００３６】
本発明の任意の特徴によれば、前記重畳プロセッサは、前記提示特性に応じて、前記重畳ビデオコンテンツの重畳ビデオオブジェクトの位置を選択するように構成される。
【００３７】
このことは、特に有利な二次的ビデオコンテンツの重畳を提供し得る。特に、表示ユニットの現在の描画／提示特性に対してビデオコンテンツの重畳を適合させるための特に有利な手法を実現し得る。例えばこのことは、重畳ビデオコンテンツが表示ユニットによりクロッピングされないことを確実としつつ、該ビデオ装置が、観測者に提示される可視画像の端部に向けて、重畳ビデオオブジェクトを動的に配置することを可能とし得る。
【００３８】
本発明の任意の特徴によれば、前記重畳プロセッサは、前記提示特性に応じて、前記重畳ビデオコンテンツの重畳ビデオオブジェクトの大きさを選択するように構成される。
【００３９】
このことは、特に有利なビデオコンテンツの重畳を提供し得る。例えばこのことは、ディスプレイにより実行されているいずれの幾何学的操作に対しても該ビデオ装置が第２のビデオコンテンツを補償することを可能とし得、及び／又は、現在の提示特性に適切な画像を提供するための重畳ビデオコンテンツの改善された適合を可能とし得る。
【００４０】
本発明の任意の特徴によれば、前記重畳プロセッサは、前記提示特性に応じて、前記重畳ビデオコンテンツの重畳ビデオオブジェクトの幾何学的歪を選択するように構成される。
【００４１】
このことは、特に有利なビデオコンテンツの重畳を提供し得る。例えばこのことは、ディスプレイにより実行されているいずれの幾何学的歪に対しても該ビデオ装置が第２のビデオコンテンツを補償することを可能とし得る。例えば、ディスプレイが現在の提示ウィンドウに適合するために第１のビデオコンテンツの伸長を実行する場合、表示ユニットによる歪に続いてユーザに対して所望の重畳オブジェクトが提示されるように、第２のビデオコンテンツが予め補償されても良い。
【００４２】
本発明の任意の特徴によれば、前記提示特性は、前記出力ビデオ信号の現在の可視ウィンドウの特性を示し、前記重畳プロセッサは、前記現在の可視ウィンドウ内となるように前記第２のビデオコンテンツを調節するように構成される。
【００４３】
このことは、特に有利なビデオコンテンツの重畳を提供し得、典型的には全ての重畳されたビデオコンテンツが観測者に可視となることを確実にし得る。可視のウィンドウは動的に変化され、出力ビデオ信号により表現される表示ウィンドウにおける少なくとも１つの重畳ビデオオブジェクトの動的な動きに帰着し得る。可視ウィンドウは、（少なくとも時折）出力ビデオ信号により表現される表示ウィンドウ全体のサブウィンドウであり得る。
【００４４】
本発明の任意の特徴によれば、前記提示特性は、表示される信号のためのアスペクト比を有し、前記重畳プロセッサは、前記アスペクト比及び前記出力ビデオ信号のためのアスペクト比に応じて、前記現在の可視ウィンドウを決定するように構成される。
【００４５】
このことは、ビデオコンテンツの重畳に適切なサブウィンドウを決定する特に有利な方法を提供し得る。
【００４６】
本発明の任意の特徴によれば、前記重畳プロセッサは、前記現在の可視ウィンドウの端に隣接するように少なくとも１つのグラフィックオブジェクトの位置を変更するように構成される。
【００４７】
該重畳プロセッサは、現在の可視サブウィンドウの端部に向けて重畳ビデオオブジェクトの位置にバイアスをかけるように構成されても良い。このことは、特に有利なビデオコンテンツの重畳を提供し得、特に第１のビデオコンテンツに対する二次的／重畳ビデオコンテンツの干渉を低減させ得る。
【００４８】
本発明の任意の特徴によれば、前記重畳プロセッサは、前記第１のビデオコンテンツに対応するウィンドウが前記現在の可視ウィンドウよりも小さい場合には、前記第１のビデオコンテンツに対応するウィンドウの外であって前記現在の可視ウィンドウ内である位置に、前記第２のビデオコンテンツの少なくとも幾分かを配置するように構成される。
【００４９】
このことは、特に有利なビデオコンテンツの重畳を提供し得、特に第１のビデオコンテンツに対する二次的／重畳ビデオコンテンツの干渉を低減させ得る。
【００５０】
本発明の任意の特徴によれば、前記提示特性は、前記出力ビデオ信号の現在の可視ウィンドウのサブウィンドウの特性を示し、前記重畳プロセッサは、前記サブウィンドウ内となるように前記第２のビデオコンテンツを調節するように構成される。
【００５１】
このことは、多くの実施例において改善された重畳ビデオコンテンツの提示を提供し得る。とりわけ、このことは多くの状況において、提示された信号の黒色領域から重畳コンテンツが自動的に出ることを可能とし、それにより表示ユニットがズームインして斯かる黒色領域を低減させることを可能とし得る。
【００５２】
本発明の任意の特徴によれば、前記ビデオコンテンツ源は、前記提示特性に応じて、前記第１のビデオコンテンツのパラメータを変更するように構成される。
【００５３】
このことは、多くの実施例及び多くの状況において、ディスプレイにおいて提示される第１のビデオコンテンツの改善された品質を実現し得る。
【００５４】
本発明の任意の特徴によれば、前記パラメータはアップスケーリングパラメータである。
【００５５】
このことは、多くの実施例及び多くの状況において、ディスプレイにおいて提示される第１のビデオコンテンツの改善された品質を実現し得る。
【００５６】
本発明の一態様によれば、ディスプレイを含む表示装置のための動作の方法であって、前記方法は、前記ディスプレイにおける提示のための第１のビデオコンテンツを有するビデオ信号を受信するステップと、前記ディスプレイにおける前記第１のビデオコンテンツの提示のための第１の提示特性を決定するステップと、前記第１の特性に応じて、前記第１のビデオコンテンツと同時の前記ディスプレイにおける第２のビデオコンテンツの提示のための提示特性を決定するステップと、前記提示特性を前記第２のビデオコンテンツの外部源に伝達するステップと、を有する方法が提供される。
【００５７】
本発明の一態様によれば、ビデオ装置であって前記ビデオ装置を表示ユニットに結合するためのビデオポートを含むビデオ装置のための動作の方法であって、前記方法は、第１のビデオコンテンツを供給するステップと、前記第１のビデオコンテンツ及び重畳ビデオコンテンツの両方を有する出力ビデオ信号を生成するステップと、前記出力ビデオ信号を前記ビデオポートに供給するステップと、前記表示ユニットによる前記出力ビデオ信号の提示を示す提示特性を、前記表示ユニットから受信するステップと、前記提示特性に応じて、前記重畳ビデオコンテンツの特性を調節するステップと、を有する方法が提供される。
【００５８】
本発明のこれらの及び他の態様、特徴及び利点は、以下に記載される実施例を参照しながら説明され明らかとなるであろう。
【００５９】
本発明の実施例は、単に例として、図面を参照しながら説明される。
【図面の簡単な説明】
【００６０】
【図１】本発明の幾つかの実施例による表示システムの例を示す。
【図２】本発明の幾つかの実施例による表示ユニットの要素の例を示す。
【図３】種々のディスプレイについてのダイナミックレンジの例を示す。
【図４】本発明の幾つかの実施例による表示システムの例を示す。
【図５】本発明の幾つかの実施例によるビデオ装置の例を示す。
【図６】本発明の幾つかの実施例による表示システムにおいて提示され得る画像の例を示す。
【図７】表示システムにおいて提示され得る画像の例を示す。
【図８】本発明の幾つかの実施例による表示システムにおいて提示され得る画像の例を示す。
【図９】本発明の幾つかの実施例による表示システムにおいて提示され得る画像の例を示す。
【発明を実施するための形態】
【００６１】
図１は、画像を提示するためのディスプレイを有する表示装置／ユニット１０１を有する、ビデオ表示システムの例を示す。該システムは更に、表示ユニット１０１にビデオ信号を供給するビデオ源１０３を有する。該ビデオ信号は、例えば静止画又は動画を有しても良い。表示ユニット１０１は例えば、符号化されたディジタルビデオ信号、符号化されていないディジタルビデオ信号、及び／又はアナログビデオ信号を受信するように構成されたテレビジョン又はモニタであっても良い。ビデオ源１０３は例えば、ＤＶＤプレイヤ、パーソナルビデオレコーダ（ＰＶＲ）、衛星受信器等のようなセットトップボックスであっても良い。
【００６２】
斯くして、ビデオ源１０３は、幾つかのビデオコンテンツ（以下、主ビデオコンテンツと呼ぶ）を含むビデオ信号を供給する。該主ビデオコンテンツは、例えば映画、テレビジョン番組、又はディジタル画像若しくは写真であっても良い。本システムにおいて、該主ビデオコンテンツは、二次的ビデオコンテンツ（以下、重畳ビデオコンテンツ又は二次的ビデオコンテンツと呼ぶ）と共に、表示ユニットにより提示される。該重畳ビデオコンテンツは、例えば字幕、ユーザインタフェース情報、放送局のロゴ、二次的ビデオコンテンツストリーム等であっても良い。
【００６３】
以下に説明されるように、該重畳ビデオコンテンツは、ビデオ源１０３により供給されるビデオ信号において、主ビデオコンテンツと組み合わせられ得る（従って、主ビデオコンテンツに対する重畳ビデオコンテンツの重畳はビデオ源１０３において実行され得る）。しかしながら、図１の例においては、該重畳ビデオコンテンツは、表示ユニット１０１に結合された別個の重畳源１０５により供給される。従って、本例においては、表示ユニット１０１は、ビデオ源１０３から主ビデオコンテンツを受信し、該重畳源から重畳ビデオコンテンツを受信して、ディスプレイにおける同時の提示のために組み合わせる。特に、表示ユニットは、主ビデオコンテンツに対して重畳ビデオコンテンツを重ね合わせても良い。
【００６４】
本システムにおいては、表示ユニット１０１は、主ビデオコンテンツのための現在の提示特性に適合するように重畳源１０５が重畳ビデオコンテンツを適合させることを可能とする情報を、重畳源１０５に通信する。
【００６５】
具体例としては、ビデオ源１０３は、従来の４：３システムとの互換性を提供するため、４：３形式で出力信号を供給するＤＶＤプレイヤであっても良い。しかしながら、４：３形式は例えば、歪像の１６：９のアスペクト比で、又は歪のない４：３形式で、主ビデオコンテンツを含み得る。表示ユニット１０１が１６：９形式を持つ場合、表示ユニット１０１は、ディスプレイ全体に合致するように４：３ビデオ信号を伸長することにより、歪像の１６：９形式で主ビデオコンテンツを提示し得る。しかしながら、４：３の主ビデオコンテンツは、いずれの幾何学的歪もなく、４：３ピラーボックス形式で提示されることとなる。斯くして、表示ユニット１０１により実行される提示及び処理は、主ビデオコンテンツの特性に依存する。本システムにおいては、表示ユニット１０１は、重畳ビデオコンテンツに適用されることとなる現在の提示特性を示すデータを、重畳源１０５に送信する。具体的には、歪像の１６：９の主ビデオコンテンツに対しては重畳ビデオコンテンツは伸長され、４：３の主ビデオコンテンツに対しては重畳ビデオコンテンツは伸長されない。現在の提示特性の情報は次いで、供給された重畳ビデオコンテンツを適合させるために外部の重畳源１０５により利用される。例えば、歪像の１６：９の状況については、重畳ビデオコンテンツは予め圧縮されて表示ユニット１０１における伸長を補償するが、４：３の状況については事前の圧縮は実行されない。従って、重畳源１０５は、重畳ビデオコンテンツが適切に提示されるように該重畳ビデオコンテンツを自動的に処理することとなる。
【００６６】
図２は、図１の表示ユニット１０１を更に詳細に示す。表示ユニット１０１は、画像を観測者に対して表示するように構成された表示パネル２０１を有する。本例においては、該表示パネルはＬＣＤ又はプラズマディスプレイであるが、他の実施例においては、例えば陰極線管等のような他のディスプレイタイプも利用され得ることは理解されるであろう。
【００６７】
表示ユニット１０１は更に、ビデオ源１０３からビデオ信号を受信する第１のビデオ入力部２０３を有する。本例においては、該第１のビデオ入力部は、適切なビデオケーブルを介して表示ユニット１０１をビデオ源１０３に接続し得る入力ビデオコネクタを有する。受信されたビデオ信号は具体的には、DisplayPort、ＨＤＭＩ又はＤＶＩのような適切なビデオ規格に従うものであっても良い。
【００６８】
第１のビデオ入力部２０３はディスプレイコントローラ２０５に結合され、該ディスプレイコントローラ２０５は更にディスプレイ２０１に結合される。ディスプレイコントローラ２０５は、ディスプレイ２０１の画像を制御するための表示信号を生成するため、受信されたビデオ信号を処理することが可能である。該処理は例えば、ディジタルに符号化された信号を復号化して、ディスプレイ２０１のための個々の画像値（例えばＲＧＢ値）を生成することを含んでも良い。
【００６９】
更に、ディスプレイコントローラ２０５は、ビデオ信号からの主ビデオコンテンツの提示を、該コンテンツが提示される前に、適合させるように構成されても良い。具体例としては、ビデオ信号は固定された４：３のアスペクト比を持ち得るが、時に４：３のアスペクト比であるが、別の時にはレターボックス型の１６：９のアスペクト比を持ち、更に別の時には歪像の１６：９のアスペクト比を持つ（従って該ビデオ信号の４：３ウィンドウ全体を満たす）主ビデオコンテンツを持ち得る。本例においては、ディスプレイ２０１は１６：９のアスペクト比を持ち、ディスプレイコントローラ２０５は、主ビデオコンテンツの最適な提示が実現されるように該ビデオ信号を処理するように構成される。斯くして、第１のモードにおいては、４：３のアスペクト比の信号がピラーボックス形式で提示され、それにより利用されない（典型的には黒色の）バーが主ビデオコンテンツの横に残る。更に、第２のモードにおいては、レターボックス型の１６：９のアスペクト比のビデオコンテンツが、該ビデオ信号の４：３ウィンドウの黒色バーをクロッピングすることによって、１６：９のディスプレイ全体を埋めるように拡大される（斯くして該ビデオ信号の４：３ウィンドウの黒色バーは不可視となる）。最後に、第３のモードにおいては、歪像の１６：９のアスペクト比が、ウィンドウ信号の４：３ウィンドウのクロッピングをすることなく（しかしながら４：３ウィンドウを幾何学的に歪ませて）、１６：９のディスプレイ全体を満たすように伸長される。本システムにおいては、該ディスプレイコントローラは、主ビデオコンテンツの現在の提示を決定するため、ビデオ信号を解析することにより、どのモードを利用すべきかを自動的に検出しても良い。別の例においては、ユーザが例えば手動で各ビューモード間を切り換えても良い。
【００７０】
幾つかの場合において（以下に更に詳細に説明される）、ビデオ源１０３から受信されるビデオ信号は更に、例えば字幕、ユーザインタフェース情報又はロゴのような重畳ビデオコンテンツを有し得る。該重畳ビデオコンテンツは、主ビデオコンテンツと同様な方法で変更されることとなる。図２の具体例においては、重畳ビデオコンテンツが別個の重畳源１０５から受信され、ディスプレイコントローラ２０５は、当該情報を受信する第２のビデオ入力部２０７に結合されている。本例においては、重畳ビデオコンテンツは、異なるモードの動作においては異なる態様で処理される。例えば、重畳ビデオコンテンツは、主ビデオコンテンツと同時にディスプレイ２０１に提示されるが、適用される提示モードに依存して種々の特性によって提示される、ロゴのような重畳ビデオオブジェクトを有し得る。例えば、ビューモード処理の前に重畳が実行されても良い。
【００７１】
重畳ビデオオブジェクトは例えば、ビデオ信号として供給されても良いし、又は例えば１つ以上のビデオ重畳オブジェクトを記述するデータとして供給されても良い。例えば、重畳ビデオオブジェクトは、ディジタル的に符号化されたグラフィックオブジェクトであっても良い。
【００７２】
一例として、第１のモードの動作においては、４：３のアスペクト比の主ビデオコンテンツのために、ピラーボックス提示形式が利用される。この状況においては、ディスプレイコントローラ２０５は、主ビデオコンテンツのいずれかの側における、一方の黒色バーにおいて、重畳ビデオコンテンツを配置する。第２のモードにおいては、重畳ビデオオブジェクトが主ビデオコンテンツに重ね合わせられるが、入力信号のウィンドウの中央の１６：９のアスペクト比の部分内に配置される（即ちディスプレイコントローラ２０５によりクロッピングされる領域を避ける）。第３のモードにおいては、重畳ビデオオブジェクトは同様に主ビデオコンテンツに重ね合わせられるが、本状況においては、クロッピングが実行されるため、４：３のウィンドウの端部（例えば上端）に配置される。更に、第３のモードにおいては、重畳ビデオオブジェクトは、アナモルフィック形式に応じて、幾何学的に予め歪まされる。
【００７３】
図２の表示ユニット１０１においては、二次的／重畳ビデオコンテンツの提示の特性は斯くして、第１のビデオコンテンツに依存して動的に変化する。
【００７４】
本システムにおいては、表示ユニット１０１は、ディスプレイ２０１における第１のビデオコンテンツの提示のための第１の特性を決定するように構成された提示プロセッサ２０９を有する。具体例においては、提示プロセッサ２０３は単に、表示ユニット１０１が第１のビューモードで動作しているか、第２のビューモードで動作しているか、第３のビューモードで動作しているかを決定する。他の実施例においては、その他の更に複雑な特性が決定され得ることは理解されるであろう。例えば、第１の特性は、主ビデオコンテンツを提示するために利用されるウィンドウのアスペクト比、幾何学的歪、サイズ等のうち１つ以上を含んでも良い。
【００７５】
提示プロセッサ２０９は、ディスプレイ２０１における重畳ビデオコンテンツの提示のための提示特性を決定するように構成された特性プロセッサ２１１に結合される。幾つかの例においては、該提示特性は単に、例えば表示ユニット１０１が第１のビューモードで動作しているか、第２のビューモードで動作しているか、第３のビューモードで動作しているかの示唆のような、第１の特性と同一のものであっても良い。しかしながら、他の実施例においては、重畳ビデオコンテンツのための提示特性は、主ビデオコンテンツの提示のための特性から導出されても良く、また異なっていても良いことは理解されるであろう。例えば、主ビデオコンテンツのための表示ウィンドウに基づいて、二次的ビデオコンテンツのための、より小さい表示ウィンドウが導出されても良い。
【００７６】
特性プロセッサ２１１は、提示特性の示唆を二次的ビデオコンテンツの供給源へと送信するように構成された送信器２１３に結合される。複雑度の低い例としては、主ビデオコンテンツのための現在のビューモードが、重畳源１０５に伝達される。
【００７７】
このことは、重畳源１０５が、該提示特性に応じて重畳ビデオコンテンツを変更することを可能とし得る。斯くして、重畳源１０５は、現在利用されているディスプレイがどのように重畳ビデオコンテンツを提示するかを示す情報を供給されることとなる。斯くして、該手法は、利用されるウィンドウの特定の特性に対して重畳源１０５が重畳ビデオコンテンツを適合させることを可能とする（斯くして異なる特性及び機能を持つ種々のディスプレイとの互換性を改善する）のみならず、表示ユニット２０１の現在の表示動作に対して重畳源１０５が重畳ビデオコンテンツを動的に適合させることをも可能とする。特に、重畳源１０５は、主ビデオコンテンツの提示に合致するように重畳ビデオコンテンツを適合させることができ、即ちこのことは、ビデオ源１０３から供給されるべき主ビデオコンテンツのいずれの知識をも必要とせずに、重畳ビデオコンテンツが主ビデオコンテンツに対して適合されることを可能とし得る。
【００７８】
例えば、表示装置１０１が第１のモードで動作している場合には、重畳源１０５は、主ビデオコンテンツを提示するために利用されるウィンドウの横の黒色バーにおける提示に特に適したビデオオブジェクトを供給することができる。具体例としては、重畳源１０５は、比較的高くて細く、且つ黒色の背景における投射に適した色を持つ（例えば透明な背景における白色のオブジェクトが供給されても良い）ビデオオブジェクトを生成しても良い。表示ユニット１０１が第２のモードで動作している場合には、重畳源１０５は、可変のビデオコンテンツを持ち得る背景に対する提示に適したビデオオブジェクトを供給しても良い。例えば、重畳ビデオコンテンツが明るい背景においても暗い背景においても可視となることを確実にするため、半透明の灰色の背景が追加されても良い。更に、異なる大きさの重畳オブジェクト（例えば高くて細いオブジェクトではなく正方形のオブジェクト）が利用されても良い。また、第２のモードにおいてディスプレイコントローラ２０５により実行されるクロッピングはズームに対応し、従ってビデオコンテンツの拡大に対応するため、重畳ビデオコンテンツは、重畳源１０５によりサイズを減少させられ、それにより該拡大を補償しても良い。第３のモードにおいては、重畳源１０５によって第２のモードと同様のビデオオブジェクトが生成されても良い（例えば半透明な灰色の背景を用いて）が、重畳源１０５は元のサイズのオブジェクト（ズームが実行されない）を利用しても良い。更に、主ビデオコンテンツのアナモルフィック伸長を補償するため、アナモルフィック圧縮がオブジェクトに適用されても良い。
【００７９】
斯くして、図１のシステムにおいては、主ビデオコンテンツと共にかなり改善された二次的ビデオコンテンツの提示が実現されることができる。特に、二次的／重畳ビデオコンテンツは、主ビデオコンテンツの提示に適するように適合されることができ、それにより該提示の特定の特性が補償されるか又は利用されることができる。
【００８０】
表示ユニット１０１とビデオ源１０３及び／又は重畳源１０５との間の通信に種々の手段が利用され得ることは、理解されるであろう。例えば、ビデオ源１０３は、適切なビデオケーブルを介して表示ユニット１０１に結合されても良いし、又は代替として（若しくは加えて）、直接無線リンクを介して若しくは例えば無線若しくは有線ネットワークを介して結合されても良い。同様に、重畳源１０５は、適切なビデオケーブルを介して表示ユニット１０１に結合されても良いし、又は代替として（若しくは加えて）、無線接続を介して若しくは例えば無線若しくは有線ネットワークを介して結合されても良い。また、重畳源１０５から表示ユニット１０１までには、表示ユニット１０１から重畳プロセッサ１０５までのものと同じ通信手段が用いられても良いし、又は違う通信手段が用いられても良い。
【００８１】
具体例においては、ビデオ源１０３は適切なビデオケーブルを介して表示ユニット１０１に結合される一方、重畳源１０５と表示ユニット１０１とはＷｉＦｉ（登録商標）ネットワークのような無線ネットワークを介して結合される。斯かる構成は、重畳ビデオコンテンツが典型的に主ビデオコンテンツよりも少ないデータで表現され得るため、多くの実施例において有利である。例えば、重畳ビデオコンテンツは、連続的なフレームを有するビデオ信号によってではなく、ビデオオブジェクトを規定するテキスト又はグラフィクスデータによって表現され得る。また、重畳源１０５に対する提示特性の伝達は、典型的には低いデータレートしか必要とせず、大きな遅延に対して敏感ではなく、従って多くのネットワークによりサポートされることができる。実際に、幾つかの実施例においては、重畳源１０５と表示ユニット１０１との間の通信（一方の方向又は両方の方向）は、インターネットを介したものであっても良い。
【００８２】
ビデオ源１０３は、テレビジョンに結合されたセットトップボックスのような、表示ユニット１０１に直接に接続されたローカルなエンティティであっても良いし、又は通信システム若しくはネットワークを介して表示ユニット１０１に結合されたリモートの供給源であっても良いことも、理解されるであろう。例えば、ビデオ信号は、インターネットを介してリモートのビデオサーバから表示ユニット１０１に供給されても良い。ビデオ源１０３は例えば、インターネットベースのプロトコルの一部としてビデオ情報を供給する、インターネットベースのビデオサーバアプリケーションであっても良い。例えば、ビデオ源１０３は、例えばYouTube（登録商標）等のようなインターネットのビデオアプリケーションであっても良い。多くの実施例において、重畳源は斯かる種々の供給源から提供されても良いことは理解されるであろう。特に、供給源１０５は、提示特性に応じて供給されたビデオデータの特性を変更し得るインターネットアプリケーションであっても良い。重畳源１０５は例えば、ＭＨＥＧ又はＭＨＰデータを生成するインタラクティブなアプリケーションであっても良いことも、理解されるであろう。
【００８３】
種々の実施例及び状況において、種々の提示特性が決定され重畳源１０５に伝達され得ることは、理解されるであろう。
【００８４】
例えば、前述の例におけるように、提示特性は、主及び／又は二次的ビデオコンテンツを提示するために利用される提示ウィンドウを示す提示ウィンドウ特性であっても良い。提示ウィンドウは、ディスプレイのウィンドウ全体に関連して決定され及び／又は示されても良く、及び／又は、ビデオ源１０１からのビデオ信号によって表現されても良い。
【００８５】
例えば、ビデオ信号は４：３のアスペクト比を表し得るが、例えば２１：９、１６：９及び４：３のアスペクト比を含む多様なアスペクト比で主ビデオコンテンツを有し得る。同様に、ディスプレイは、例えば２１：９、１６：９又は４：３のアスペクト比であり得る固定されたアスペクト比を持つ。斯かる場合には、ディスプレイ２０１における主ビデオコンテンツの提示は、該ディスプレイの特定のアスペクト比と共に、主ビデオコンテンツの特定のアスペクト比に依存することとなる。従って、主ビデオコンテンツは典型的には、現在の状況に依存する提示ウィンドウに提示される。更に、幾つかの場合においては、ビデオ信号のウィンドウ全体がディスプレイ２０１に提示され、別の状況においては、サブウィンドウのみが提示される。加えて、幾つかの状況においては、提示ウィンドウはディスプレイ２０１の表示ウィンドウ全体のうちのサブセットに過ぎない。
【００８６】
幾つかの実施例においては、提示特性は、ビデオ信号の表示ウィンドウ全体に対する、二次的ビデオコンテンツのための表現ウィンドウの示唆を有する。また、幾つかの実施例においては、提示特性は、ディスプレイ２０１の表示ウィンドウ全体に対する、二次的ビデオコンテンツのための表現ウィンドウの示唆を有する。幾つかの実施例においては、提示特性は、ビデオ信号及びディスプレイ２０１の両方に対する表現ウィンドウを示すことは、理解されるであろう。提示特性は、二次的ビデオのための表現ウィンドウの間接的な示唆を提供しても良いことも、理解されるであろう。
【００８７】
例えば、提示特性は主ビデオコンテンツのための表現ウィンドウを示しても良く、このことは二次的ビデオコンテンツのための表現ウィンドウの間接的な示唆を提供し得る。例えば、主ビデオコンテンツがレターボックス型の４：３信号として伝達される１６：９のコンテンツである場合、主ビデオコンテンツが１６：９ディスプレイにおいて１６：９ウィンドウにおいて提示されることを示す表示特性が、二次的ビデオコンテンツが４：３ビデオ信号の中央の１６：９の表現サブウィンドウ内に重畳される必要がある（なぜなら４：３信号の他のいずれの部分もクロッピングされるため）ことの示唆として利用されることができる。斯くして、提示特性は、入力信号のウィンドウ全体内の重畳コンテンツのための安全な表現ウィンドウを、直接的に又は間接的に示し得る。
【００８８】
別の例としては、提示特性は、主ビデオコンテンツが、１６：９ディスプレイ（即ちレターボックス形式）の２１：９の表現ウィンドウ内に示されることを示し得る。本例においては、重畳プロセッサ１０５は、ビデオ信号の中央の１６：９ウィンドウ内となるが、中央の２１：９表現ウィンドウの外となる、二次的ビデオコンテンツのための適切な提示ウィンドウを算出しても良い。斯くして、二次的ビデオコンテンツのための表現ウィンドウは、ビデオ信号の可視であるが使用されていない領域に対応するように決定され得る。
【００８９】
更に別の例としては、提示特性は、主ビデオコンテンツが、１６：９ディスプレイ（即ちレターボックス形式）の４：３の表現ウィンドウ内に示されることを示し得る。本例においては、重畳プロセッサ１０５は、中央の４：３表現ウィンドウの外となる二次的ビデオコンテンツのための適切な提示ウィンドウを算出しても良い。斯くして、二次的ビデオコンテンツのための表現ウィンドウは、ディスプレイ２０１のウィンドウ全体の使用されていない領域に対応するように決定され得る。
【００９０】
以上の例においては、提示特性はアスペクト比特性を有していた。しかしながら、多くの別の例が可能であることは理解されるであろう。
【００９１】
例えば、提示特性は、具体的には重畳コンテンツのための所望の色特性又は主ビデオコンテンツの色特性であっても良い、色特性の示唆を提供しても良い。例えば、提示特性は、重畳コンテンツが幾つかの色を避けるべきであること、又は特定の色を用いるように試みるべきであることを示しても良い。特に、提示特性は、（ことによると好適には）重畳コンテンツのために利用されるべきである色方式を示しても良い。このことは例えば、重畳情報が、ディスプレイの製造者又は主ビデオコンテンツの供給者に関連する色方式で提示されることを可能とする。別の例としては、色特性は主ビデオコンテンツの優位色を示しても良く、これにより重畳コンテンツは該色に対して最適化されることができる。例えば、水中の場面の間、提示される主ビデオは主に青色範囲であり得、提示特性が対比色で重畳コンテンツが提供されることを可能とし得る。提示されるビデオが別の優位色（例えばフットボールの試合の場合の緑色）に変化する場合、提示特性は緑の対比色に変更され、それにより増大された可視性のため重畳コンテンツが色を変更することを可能としても良い。例えば字幕重畳のための別の例としては、提示特性が、利用されるべきではない色を示しても良い。回避すべき色は例えば、字幕が重畳される領域において提示されるビデオを解析することにより特定されても良い。特に、提示特性は、重畳が幾分か相補的な色又はグレイ値を用いること、即ち関連領域において主ビデオコンテンツに対する十分なデルタＬａｂ色差を用いることが望ましいことを示しても良い。
【００９２】
幾つかの実施例においては、表示特性は、主ビデオコンテンツ又は二次的ビデオコンテンツの表現のために利用される表示ウィンドウのサイズを直接示しても良い。該サイズは例えば、走査線の数又は画素の大きさにより示されても良い。
【００９３】
このことは、多くの状況において改善された重畳を可能とし得る。例えば、テレビジョンは、主ビデオ信号の表現に加えて、別の供給源から受信された二次的なビデオコンテンツを表わすことが可能であり得る。例えばビデオ信号は、例えば睡眠中の乳児を監視するビデオカメラから受信され得る。当該ビデオ信号は、主テレビジョン番組に重ね合わせられ、それにより観測者がテレビジョンを観ながら睡眠中の乳児を継続的に監視することを可能としても良い。更に、テレビジョンは、乳児の監視に利用される重畳ビデオウィンドウのサイズをユーザが手動で選択することを可能とするように構成されても良く、該サイズがビデオカメラに伝達されても良い。これに従って、ビデオカメラはビデオ信号のサイズを選択された重畳ウィンドウのサイズに合致するように適合させても良く、これにより帯域幅を低減させ、テレビジョンのサイズ変更のための必要性を除去し、典型的には品質を改善させ得る。
【００９４】
また幾つかの実施例においては、提示特性は、主ビデオコンテンツ又は二次的ビデオコンテンツの表現ウィンドウのための位置を示し得る。例えば、二次的ビデオコンテンツのために利用されるべき表現ウィンドウの対角部のための画素位置が重畳源１０５に伝達されても良く、重畳源１０５はこれに従って当該ウィンドウに対して適合された二次的ビデオコンテンツを供給するようにしても良い。例えば、重畳源１０５は、重畳ウィンドウの大きさ及び位置に合致するグラフィックオブジェクトを定義するグラフィクスデータを生成しても良い。また、重畳ビデオコンテンツは、重畳ウィンドウの特定の位置に合致するように適合されても良い。例えば、或るキャラクタに対応するグラフィックオブジェクトは、画面の中央を常に向くように変更されても良いし、又はディスプレイ２０１における位置にかかわらず特定の位置を向くように変更されても良い。
【００９５】
幾つかの実施例においては、提示特性は、主ビデオコンテンツ又は二次的ビデオコンテンツの表現のための画素値範囲を示しても良い。各画素値は、画素のための輝度及び／又は色特性を示しても良い。例えば各画素値は、１つ以上の色／輝度値のセットに対応しても良い。例えば各画素値は、ＲＧＢ又はＹＵＶ値であっても良い。
【００９６】
幾つかの実施例においては、表示ユニット１０１は、画像における現在の画素値の特性（例えば特定の間隔の間の平均）を評価し、重畳プロセッサ１０５に伝達しても良い。重畳プロセッサ１０５は次いでそれに応じて、例えば主コンテンツの暗い場面の間は重畳ビデオを減光し、明るい場面では明るさを増大させることにより、重畳ビデオコンテンツを調節しても良い。
【００９７】
幾つかの実施例においては、提示特性は、主ビデオコンテンツ又は二次的ビデオコンテンツのために利用されるダイナミックレンジを示しても良い（例えば二次的情報のための伝達される最適な「レンジ」は単一の色又はグレイ値点ほど小さくなり得る点に留意されたい）。例えば、図３に示されるように、表示ユニット２０１は、０乃至２５５の（例えばＲＧＢ）画素値により表現される輝度範囲又は色域３０１を持ち得る。本例においては、該表示ユニットは、主ビデオコンテンツのために利用される輝度範囲又は色域３０３を、全体の輝度範囲又は色域３０１のサブセットとなるように凝縮させる。例えば、明るい領域は比較的低い値にクリッピングされ得る。その結果の主ビデオコンテンツにより利用されない輝度又は色域範囲は、次いで二次的ビデオコンテンツによって専ら利用され、該範囲が重畳源１０５に伝達されて、次いで該重畳源１０５がそれに応じて重畳コンテンツを適合させることができる。斯くして、具体的には、重畳コンテンツ３０５が、主ビデオコンテンツの輝度範囲又は色域３０３の外に配置されるように構成され得る。
【００９８】
本手法は、高いダイナミックレンジのディスプレイを用いる状況に特に有利となり得る。特に、従来のディスプレイに比べて増大させられたダイナミックレンジを持つディスプレイが提案されている。このことは例えば、バックライトを動的に調節し、それにより暗い値（バックライトを低減させることによる）と明るい値（バックライトを増大させることによる）の両方が提示されることを可能とすることによって実現され得る。斯かる高いダイナミックレンジのディスプレイについては、例えば１乃至１０２４の画素値により表わされるような、増大された全体の輝度範囲又は色域３０７が提供され得る。斯くして、高いダイナミックレンジのディスプレイユニットにおいて標準的なダイナミックレンジのビデオ信号を提示するときには、通常のダイナミックレンジ３０１は、拡大されたダイナミックレンジを利用するように新たなダイナミックレンジ３０７へと変換され得る。このとき、高いダイナミックレンジは、主ビデオのみを拡大するために完全に利用される必要はないが、幾分かの領域は例えば字幕のために確保されても良く、このことは主ビデオレンジに対して一体的に調整されても良い。供給源装置は、主及び二次的信号の表示を最適に調整するため、例えば人間の視覚系を考慮に入れた複雑なアルゴリズムを適用しても良い（ビデオ源に伝達される特性は、例えばディスプレイに含まれるカメラにより捕捉された周囲画像に基づく、観測環境パラメータをも含んでも良い）。
【００９９】
しかしながら、本発明の一実施例においては、当該変換は、高いダイナミックレンジ３０７の一部分３０９のみが、主ビデオコンテンツを提示するために利用されるように構成される。例えば、０乃至２５５の入力画素値は、１乃至例えば９６０のダイナミックレンジに変換され得、それにより９６１乃至１０２４の範囲を重畳ビデオコンテンツのために専ら利用されるように残す。本例においては、現在のディスプレイが重畳ビデオコンテンツのために確保された当該範囲を持つ高いダイナミックレンジのディスプレイであることを示す提示特性が重畳源１０５に伝達され、該重畳源１０５が次いでこれに応じて、当該確保された範囲の輝度範囲又は色域を利用するように二次的ビデオコンテンツを生成する又は適合させることができる。このことは例えば、重畳コンテンツが特に重要であり、ユーザの即座の注意を必要とする実施例に、非常に有用となり得る。このことは例えば、警報の場合に二次的ビデオコンテンツを供給する警報システムに、非常に有用となり得る。
【０１００】
同様に、該表示装置は、ディスプレイが好適な色（例えばPhilips社の青色ベースの色方式）を持ち、全ての入力される信号が当該色に対して調節され得ること（例えばビデオの白色点が黄色がかった色から青色がかった色へと調節される）を、供給源（例えば組み込まれたビデオコンテンツを持つウェブページ）に対して伝達しても良い。このことはまた、Ambilight（登録商標）と組み合わせられても良い（例えば氷のような周囲環境が生成される場合、字幕がそれに合致させられるか又は対照的にされても良い）。
【０１０１】
幾つかの実施例においては、表示ユニット１０１は更に、ディスプレイ２０１についてのフル表示ウィンドウの示唆を外部源に伝達しても良い。例えば、提示特性が、主ビデオコンテンツのために現在利用されているアスペクト比及びフル表示ウィンドウが、ディスプレイ２０１のためのアスペクト比により表現され得ることを示しても良い。重畳源１０５は、二次的ビデオコンテンツを適合させるために当該情報を利用しても良い。例えば、フルウィンドウのディスプレイが２．３９：１のアスペクト比を持ち、現在のビューモードが１６：９のアスペクト比である場合、重畳源１０５は、現在のビューモードがピラーボックス表現を提供し、従って主ビデオコンテンツが両側に黒色のバーを伴って提示されることを決定しても良い。重畳源１０５は次いで、１６：９の画像が２．３９：１のディスプレイに提示される場合に利用されない領域に特に適したビデオコンテンツを生成しても良い。
【０１０２】
幾つかの実施例においては、提示特性は、二次的ビデオコンテンツが提示され得る二次的表示手段の利用可能性を示しても良い。例えば、表示パネルユニット１０３が従来のディスプレイである場合、二次的ビデオコンテンツは、単一の表示パネルにおいて主ビデオコンテンツに重ね合わされて提示され得る。しかしながら、幾つかの表示ユニットは、利用可能な場合には代替として又は付加的に二次的情報を提示するために利用されることができる、付加的な表示手段を有し得る。例えば、主ディスプレイに加えてディスプレイから外に向けて光を放射する１つ以上の光源を有するテレビジョンが開発されている。特に、Philips社のAmbilightテレビジョンは、ディスプレイの側面、背面又は前面にも光を発することによって、ディスプレイの視覚的な表現を拡張している。該光は典型的に、表示されている画像の色特性に合致するように色を付されている。幾つかのテレビジョンにおいては、光が異なる領域に分割され、ディスプレイの上端、側面及び底面において異なる色が発せられ、ここで各領域における色は、表示されている画像の対応する領域における優位色に対応するように決定される。
【０１０３】
提示特性は例えば、斯かるAmbilight機能が存在すること、及び従って二次的ビデオコンテンツが例えばどの色がAmbilightにより適用されるべきかを規定するデータを含むように適合され得ることを示しても良い。別の例としては、二次的ビデオコンテンツが、適切なAmbilight放射の生成に帰着するように修正されても良い。例えば、Ambilightが存在するときには、所望のAmbilight表現を提供するために、二次的ビデオコンテンツの色が修正されても良い。
【０１０４】
別の例としては、提示特性は、表示ユニット１０１が、二次的ビデオコンテンツを提示するために利用されることができる付加的な表示画面を有することを示しても良い。重畳源１０５は、これに従って、第２のディスプレイの特性に合致するように重畳コンテンツを修正しても良い。例えば、重畳源１０５は、主ビデオコンテンツに重ね合わされるビデオコンテンツに適切な大きさを用いるのではなく、二次的な表示パネルに合致する大きさを持つ二次的ビデオコンテンツを生成するようにしても良い。
【０１０５】
図２の例においては、重畳源１０５及びビデオ源１０３は別個のエンティティであり、特に表示ユニット１０１の他の手段によって結合されていない。このことは多くの実施例において実用的となり得、本システムは特に、二次的ビデオコンテンツが、該二次的ビデオコンテンツに関連しない主ビデオコンテンツと共にユーザに提示されることを可能とし得る。例えば、二次的ビデオコンテンツは、第１のビデオ源のためのビデオ源１０１に完全に関係しない装置からの情報を供給し得る。具体例としては、重畳情報が台所用器具から供給され、視聴されている映画又はテレビジョン番組上に重畳される情報としてユーザに提示され得る。例えば、視聴者が映画を視聴しているときに、夕食がオーブンでの調理を終えたことをユーザに知らせる重畳ビデオコンテンツが提示され得る。
【０１０６】
しかしながら、他の実施例においては、ビデオ源１０３及び重畳源１０５は、同一のエンティティであっても良い。とりわけ、二次的ビデオコンテンツは、表示ユニット１０１により受信される前に、主ビデオコンテンツと組み合わせられても良い。斯くして、表示ユニット１０１により受信されるビデオ信号は、特に二次的ビデオコンテンツが既に主ビデオコンテンツに重畳されたフレームを有しても良い。斯かるシステムの例が図４に示されており、ここでは表示ユニット１０１は、二次的ビデオコンテンツ及び主ビデオコンテンツの両方を有するビデオ信号を供給する信号源４０１に結合されている。
【０１０７】
図５は、信号源４０１の要素を更に詳細に示す。信号源４０１は、主ビデオコンテンツを供給するコンテンツ源５０１を有する。コンテンツ源５０１は例えば、外部又は内部の供給源から主ビデオコンテンツを受信しても良い。例えば、信号源４０１はＤＶＤプレイヤであっても良く、このとき主ビデオコンテンツはＤＶＤから読み取られても良く、又は信号源４０１は衛星受信器であっても良く、このとき主ビデオコンテンツは受信された衛星伝送から受信されても良い等する。
【０１０８】
コンテンツ源５０３は、二次的／重畳ビデオコンテンツにより重畳された主ビデオコンテンツを有するビデオ出力信号を生成するように構成された、重畳プロセッサ５０３に供給される。本例においては、重畳プロセッサ５０３は、重畳ビデオコンテンツ自体を生成し、該コンテンツをビデオ信号に重畳する。該重畳ビデオコンテンツは例えば、ユーザインタフェース情報、字幕、又はグラフィックオブジェクト等であっても良い。
【０１０９】
ビデオ出力信号は、重畳プロセッサ５０３に結合されたビデオポート５０５に供給される。本例においては、ビデオポート５０５は、（表示ユニット１０１に接続されていても良い）ビデオケーブルを接続するためのコネクタを有する。しかしながら、別の実施例においては、例えば無線ビデオ接続又はデータネットワークを含む、リモートの表示ユニット１０１にビデオ信号を伝達する他の手段が利用されても良い。
【０１１０】
本例においては、出力ビデオ信号の形式は固定されている。特に、ビデオ信号は固定された１６：９のアスペクト比と固定された解像度とを持ち得る。しかしながら、主ビデオコンテンツの特性は変化し得る。特に、主ビデオコンテンツは、４：３、１６：９又は２１：９のアスペクト比を持ち得る。更に、主ビデオコンテンツは、幾つかの場合においては、表示ユニット１０１による後続するアナモルフィック伸長を補償するためのアナモルフィック圧縮のような事前の幾何学的歪を含んでも良い。斯くして、出力信号のウィンドウ内の主ビデオコンテンツの正確なフォーマットは動的に変化し得、主ビデオコンテンツは特に、ピラーボックス、レターボックス、組み合わせられたピラーボックスとレターボックス、フルサイズのウィンドウ、幾何学的に圧縮されたフルサイズのウィンドウ等に含められ得る。
【０１１１】
ビデオ信号内のウィンドウ内における主ビデオコンテンツのフォーマットは典型的には、所定の規則及び主ビデオコンテンツの形式にのみ基づく。しかしながら、表示ユニット１０１による主ビデオコンテンツの提示は、表示ユニット１０１の特性及び設定に依存する。従って、ビデオ信号のウィンドウにおける二次的ビデオコンテンツの最適な重畳は、表示ユニット１０１の現在の動作に依存する。信号源４０１は更に、表示ユニット１０１から提示特性を受信するように構成された制御入力部５０７を有する。制御入力部５０７は重畳プロセッサ５０３に結合され、該プロセッサに提示特性を供給する。重畳プロセッサ５０３は次いで、該提示特性を用いて、重畳ビデオコンテンツの特性を調節する。該提示特性は特に、ビデオ信号を表示ユニット１０１に供給する同一のケーブルを介して、制御入力部５０７に供給されても良い。
【０１１２】
具体例においては、主ビデオコンテンツと二次的ビデオコンテンツとの組み合わせは信号源４０１により実行され、単一のビデオ信号が表示ユニット１０１に供給される。斯くして、表示ユニット１０１は単に、受信されたビデオ信号を、いずれかの二次的ビデオコンテンツを有する該ビデオ信号の考慮又は知識なしで、提示し得る。換言すれば、図４の例において、表示ユニット１０１は、二次的ビデオ入力部２０７を有さなくても良い。
【０１１３】
別個の外部重畳源１０５として以上に説明された例の殆どは、単一の供給源４０１にも等しく適用可能であることは、理解されるであろう。
【０１１４】
斯くして、重畳プロセッサ５０３は、主ビデオコンテンツを変更することとは異なる態様で、提示特性に応じて重畳ビデオコンテンツを調節し得る。とりわけ、主ビデオコンテンツに対する操作は提示特性とは独立したものであっても良く、一方で重畳ビデオコンテンツの処理は提示特性に依存したものであっても良い。
【０１１５】
本システムにおいては、表示ユニット１０１は特に、観測者にコンテンツを提示するときに、ビデオ信号の中間のコンテンツ形式が表示ユニット１０１により欠落させられる情報を含まないように、単一の供給源４０１のための描画／提示ウィンドウを定義し得る。表示ユニット１０１の処理、現在のビューモード、及び画面のアスペクト比情報は全て、単一の供給源４０１の出力を最適化するために利用され得る。
【０１１６】
本手法は、異なるアスペクト比を持つディスプレイを用いて利用され得る供給源装置に対して、特に有利となり得る。例えば、非標準的なアスペクト比（４：３又は１６：９とは異なる）を持つ表示装置の導入に伴い、供給源装置の出力を最適化する際に伝統的に問題が生じる。なぜなら、これら装置は４：３、４：３パン及びスキャン及び／又は１６：９ディスプレイのみをサポートすることが多いからである。更に、配信ビデオ形式は、例えば４：３又は１６：９のみといったように、限られた数のアスペクト比しかサポートしない。
【０１１７】
その結果、例えば２．３９：１のアスペクト比の映画は一般に、レターボックス型１６：９形式で配信される。しかしながら、供給源装置が一般にコンテンツ自体のアスペクト比には関知しないため、該装置は１６：９形式のビデオ信号を出力し、ユーザインタフェースデータ、グラフィクス、字幕等のような重畳情報を描画する。しかしながら、一般的な供給源装置とは異なり、表示ユニット（特に非標準的なアスペクト比のディスプレイについては）は、コンテンツの元のアスペクト比を検出する高度なアルゴリズム（例えば黒色バー検出器を用いる）を持つことが多い。従って、表示ユニットは一般に、コンテンツの改善された提示を提供するため、該ユニットの表示モードを適合させる。例えば、２．３９：１表示ユニットは単に、中央の２．３９：１ウィンドウにおいてズームインすることにより、供給源装置からの１６：９ビデオ信号において存在し得る黒色バーを取り除き得る。その結果、該ウィンドウの外にある二次的重畳情報は、ディスプレイによりクロッピングされる。更に、重畳ビデオコンテンツが一般にビデオ信号の中央の２．３９：１ウィンドウに制約される場合、１６：９のコンテンツについての不利な提示に帰着する。なぜなら、重畳情報が画像において中心に配置され、それ故より押し付けがましく知覚されるからである。
【０１１８】
図４のシステムにおいて、表示ユニット１０１は、信号源４０１に対してどの提示／描画ウィンドウを利用すべきかを通知することができ、それにより、二次的ビデオコンテンツの重畳が、単一の供給源４０１から表示ユニット１０１へと送信されるビデオ信号の中間配信ビデオ形式において最適化されることができる。
【０１１９】
このようにして、現在のアスペクト比を決定するためにコンテンツを解析するような場合には単一の供給源４０１に必要とされるであろう付加的なコスト及び複雑さを必要とすることなく、表示ユニット１０１の高度な処理が、単一の供給源４０１を設定するために利用される。
【０１２０】
本手法はまた、表示ユニット１０１が予測されるビューモードを選択しない場合でさえも、最適な重畳を可能し得る。例えば、ディスプレイのユーザは自動的な選択に優先して別のビューモードを選択し得る。多くのディスプレイは、幾つかの予め設定されたズームモード（例えば画像をクロッピングするか否か、レターボックス形式で提示するか、ピラーボックス形式で提示するか、又はその両方か等）からユーザが選択することができる手動のズームモードを提供する。本システムにおいては、表示ユニット１０１は、どの手動モードが選択されたか（可視ウィンドウのアスペクト比及び／又はサイズを直接に又は間接的に示すことにより）を示すために提示特性を生成し得る。
【０１２１】
斯くして、具体例においては、単一の供給源装置４０１は、既知の規格（例えばＤＶＤ）を用いてレターボックス形式で配信される１６：９よりも高いアスペクト比を持つ主ビデオコンテンツで固定された１６：９形式を利用する。また、単一の供給源４０１は、主ビデオコンテンツの正確なアスペクト比を導出するための機能を含まず、従ってアスペクト比を知ることなく、従ってディスプレイにより利用されるビューモードを解析又は予測することができない。
【０１２２】
従来のビデオ源は、斯かる状況においては、フル出力ウィンドウを用いて二次的ビデオコンテンツ（例えばユーザインタフェース、アイコンのようなグラフィクス、字幕等）を描画する。それ故、当該コンテンツ（の一部）は、図６に示されるような黒色バー上に配置される。図６においては、２．３９：１のコンテンツ６０１が、水平の黒色バー６０３を伴うレターボックス形式で提示され、重畳されたユーザインタフェースグラフィクス６０５と、黒色バー６０３に（部分的に）位置する字幕６０７とを伴う。
【０１２３】
しかしながら、２．３９：１ディスプレイが、入力コンテンツが黒色バーを含むことを検出した場合、該ディスプレイは主ビデオコンテンツの元のアスペクト比を導出することができ（例えば受信されたビデオ信号を解析することにより、又は該信号と共に供給された付加的なメタ情報から）、図７に示されるように、それに応じて中央の２．３９：１ウィンドウ７０１のみを提示するように該受信された信号をズームインし得る。斯くして、従来のシステムについては、ユーザインタフェースのグラフィクス６０５及び字幕６０７の少なくとも一部は、当該手法により不可視に描画される。
【０１２４】
しかしながら、図４のシステムにおいては、表示ユニット１０１は、中央の２．３９：１ウィンドウのみが提示され／可視であることを検出し、このことを示す提示特性を信号源４０１に伝達する。斯くして、出力ビデオ信号の提示ウィンドウのウィンドウ特性が、信号源に伝達される。具体例においては、単に提示ウィンドウのアスペクト比が（例えば２．３９：１のアスペクト比）、該ウィンドウが中央ウィンドウであると仮定して、信号源４０１と共に利用されても良い。しかしながら、別の実施例においては、ビデオ信号の形式内のウィンドウのサイズ（例えば画素数での）又は位置もが示されても良い。このことは、受信されたビデオ信号のクロッピング／ズームが継続的に変化する実施例において、特に有利となり得る。
【０１２５】
斯くして、本例においては、表示ユニット１０１は、二次的ビデオコンテンツのための単一供給源４０１による使用に適した提示ウィンドウを決定し、その示唆を信号源４０１に伝達する。信号源４０１は次いで、当該提示特性に応じて、ビデオ信号に対する二次的ビデオコンテンツの重畳を適合させる。
【０１２６】
より具体的には、重畳プロセッサ５０３が、主ビデオコンテンツのために利用されるウィンドウに対応する出力ビデオ信号のウィンドウのためのウィンドウ特性を決定しても良い。当該ウィンドウは特に、提示特性により示される現在の可視のウィンドウ７０１に対応し得る。本例においては、提示特性は単に、提示されるビデオコンテンツのためのアスペクト比により示され、重畳プロセッサ５０３は、当該アスペクト比及びビデオ信号及びアスペクト比から該ビデオ信号の可視ウィンドウを決定する。例えば、現在の提示ウィンドウが１６：９であり、ビデオ信号が１６：９のアスペクト比を利用する場合には、可視ウィンドウは該ビデオ信号のウィンドウ全体と等しくなる（図６に対応する）。しかしながら、現在の提示ウィンドウが２．３９：１であり、ビデオ信号が１６：９のアスペクト比を利用する場合には、可視ウィンドウは単に、該ビデオ信号のフルウィンドウのうちの中央の２．３９：１のウィンドウに等しくなる（図７に対応する）。
【０１２７】
本例においては、重畳プロセッサ５０３はこのとき、決定されたウィンドウに合致するように重畳コンテンツを生成する。特に、重畳プロセッサ５０３は、全体として可視ウィンドウ内となるように二次的ビデオコンテンツを重畳する。しかしながら、本例においては、重畳プロセッサ５０３は、二次的ビデオコンテンツを単に中央に配置するのではなく、ウィンドウの端に向けて偏らせる。例えば、２．３９：１の主ビデオコンテンツの１６：９のウィンドウ提示については、重畳コンテンツが端に向けて移動させられ、完全に又は部分的に主ビデオコンテンツ（即ち２．３９：１ウィンドウ６０１）に対応するウィンドウの外となる。斯くして、この状況においては、重畳コンテンツオブジェクト６０５、６０７は、表示ユニット１０１の可視ウィンドウ内に保たれるが、完全に又は部分的に黒色バー６０３に配置され、斯くして主ビデオコンテンツに対する侵入を低減する。
【０１２８】
しかしながら、ビューモードが２．３９：１に切り換わると、重畳プロセッサ５０３は斯かる情報を受信し、重畳処理を動的に切り換える。特に、重畳ビデオオブジェクト６０５、６０７は、図８に示されるように、新たな可視ウィンドウ７０１内に配置される。斯くして、重畳ビデオオブジェクト６０５、６０７は、可視ウィンドウ内となるように移動され、斯くして、表示ユニット１０１により実行されるクロッピングにもかかわらず、ディスプレイにおける完全な可視性に帰着する。
【０１２９】
可視ウィンドウ７０１は表示ユニット１０１により自動的に選択されても良いことは、理解されるであろう。しかしながら、上述したように、可視ウィンドウ７０１はまた、多くの実施例においては、ユーザにより手動で選択されても良い。このことは、例えば実際のビデオコンテンツよりも小さい若しくは大きい、若しくは部分的にその中間の、又は実際にユーザが選択する何であっても良い、提示特性により示される可視ウィンドウ７０１に帰着し得る。斯くして本手法は、ユーザにより手動で選択されたいずれの種類のウィンドウ内にも合致するように、重畳コンテンツが自動的に適合されることを可能とし得る。斯くしてユーザは、該ユーザの手動の選択が主ビデオコンテンツの提示をかなり変更し、重畳情報（例えば字幕等）が自動的に該選択されたウィンドウに合致するよう自身を自動的に調節することを認識するであろう。
【０１３０】
幾つかの実施例においては、提示特性は、出力ビデオ信号の現在の可視ウィンドウ７０１のサブウィンドウの特性を示しても良い。斯かる実施例においては、重畳プロセッサ（５０３）は、該サブウィンドウ内となるように二次的ビデオコンテンツを調節するように構成されても良い。特に、該サブウィンドウは、少なくとも１つの次元（例えば高さ又は幅）が２０％と３％との間だけ減少させられた可視ウィンドウに対応し得る。斯くして、該サブウィンドウは可視ウィンドウよりも小さなウィンドウとなり得、該ウィンドウ内に配置され得る。
【０１３１】
幾つかの実施例においては、提示特性は、表示ユニット１０１に供給されるビデオ信号の実際の提示ウィンドウよりも小さい重畳ウィンドウを示すように生成されても良い。このことは、多くの状況において、提示される画像を改善し得る。
【０１３２】
例えば、表示ユニット１０３は、黒色領域を自動的に検出するように構成されても良い。黒色領域が検出されると、これら黒色領域を低減するために提示されるビューがズームされても良い。しかしながら、多くの状況において、提示されるビデオコンテンツは最初に、黒色領域にまで延在するオブジェクトと重畳される。例えば、図６に示されるように、表示ユニット１０１は、最初にレターボックス形式で画像を表示し得る。しかしながら、信号源４０１による情報の重畳により、重畳コンテンツは最初に黒色領域に配置される。とりわけ、字幕は一般に、下部の黒色バーに（少なくとも部分的に）配置される。検出器は一般に該字幕をビデオコンテンツと区別できないため、表示ユニット１０１がビデオコンテンツにおいてズームしないことに帰着する（又は同様に、当該状況においては、字幕を部分的に不可視に描画してしまうため、ビデオコンテンツにズームインすることが望ましくない場合もある）。斯かる状況は静的であり、最適ではない動作に帰着する。
【０１３３】
しかしながら、本例においては、表示ユニット１０１は、信号源４０１に、供給されたビデオ信号の可視領域（ビューポート）を通知する。しかしながら、当該示唆が実際に可視の領域と同一である場合、前段の状況が生じ得る。それ故、幾つかの実施例においては、通知されたウィンドウが可視ウィンドウ自体ではないが、そのサブウィンドウである。斯くして、通知されたビューポートは、実際に可視のビューポートよりも小さい。
【０１３４】
その結果、信号源４０１は、通知されたサブウィンドウ／ビューポート内に収まるように重畳オブジェクト（特に字幕）を調節する。このことは、黒色領域への重畳が低減されるように重畳アイテムが更に主ビデオコンテンツへと移動させられることに、効果的に帰着する。
【０１３５】
しかしながら、このことは更に、ビデオ信号における増大させられた黒色領域（重畳オブジェクトが存在しない）に帰着する。従って、表示ユニットの黒色バー／領域検出器が、提示された画像から当該黒色領域を除去するようにズームインしようとする。斯かる更なるズームインは次いで、可視ウィンドウの縮小に導き、従って縮小されたサブウィンドウに導く。このことは次いで信号源４０１に通知され、重畳コンテンツが新たなサブウィンドウに合致するよう更に移動させられることに帰着する。当該処理は、主ビデオコンテンツが可視ウィンドウを満たすまで（即ち全ての重畳が小さなサブウィンドウ内となっても黒色領域が検出されない）繰り返されても良い。この時点で、安定的で静的な状況が到達される。斯くして、本手法は自動的に、重畳コンテンツの主ビデオコンテンツへの自動的な移動と共に、主ビデオコンテンツへの漸進的なズームインに帰着する。
【０１３６】
幾つかの実施例においては、１つ以上の重畳ビデオオブジェクトの大きさが、提示特性に応じて修正されても良い。例えば、ユーザインタフェースビデオオブジェクト６０５の高さは、１６：９のアスペクト比の場合の高さに対して、可視ウィンドウの２．３９：１のアスペクト比のために低減されても良い。例えば、該高さが、ウィンドウの全高の例えば１０分の１に設定されても良い。斯くして、幾つかの実施例においては、重畳ビデオコンテンツは、情報の相対的なサイズ及びアスペクト比が一定に保たれるように、１つ以上の方向においてスケーリングされ得る。斯かる手法は、より美的で特定の表示モードに適切な重畳グラフィクスを提供し得る。具体的な例についての斯かる手法の例は、図９に示されている。
【０１３７】
幾つかの実施例においては、重畳プロセッサは、提示特性に基づいて重畳ビデオオブジェクトの幾何学的歪を適用しても良いことは、理解されるであろう。例えば上述の例においては、高さが幅とは異なる態様でスケーリングされ、それによりユーザインタフェースグラフィクス６０５の幾何学的歪に帰着する。別の例は、（図２を参照しながら以上に説明されたように）提示特性が表示ユニット１０１により実行されるアナモルフィック伸長を示す場合に、アナモルフィック圧縮を適用することである。
【０１３８】
幾つかの実施例においては、二次的ビデオコンテンツの内容が、提示特性に応じて変更されても良い。実際に、提示特性は、二次的ビデオコンテンツの提示のための提示オプション又はパラメータについての種々の情報を提供しても良く、斯かる二次的ビデオコンテンツがどのように提示されるかのみならず、何がビデオコンテンツに含まれているかを調節するために該情報が利用されても良い。
【０１３９】
具体例としては、信号源４０１は、例えば１乃至２インチのディスプレイを組み込まれた小型の携帯型メディアプレイヤであっても良い。該プレイヤが表示ユニットに接続されると、主ビデオコンテンツがディスプレイ２０１のフル表示サイズにスケーリングされても良い。しかしながら、同じスケーリングがユーザインタフェースグラフィクス又は曲のタイトル等のような重畳情報に適用される場合、該コンテンツは不適切に大きくなる。従って、該メディアプレイヤは、重畳コンテンツのサイズを、ディスプレイのサイズに適したものとなるように自動的に調節しても良い。斯くして、本例の信号源４０１においては、提示特性は、コンテンツが提示されるウィンドウ／ディスプレイのサイズのような、ディスプレイの特性又は機能の比較的簡単な示唆であっても良い。斯くして、該メディアプレイヤが１４インチのモニタに接続された場合、該プレイヤはフルウィンドウの高さの例えば１０分の１のサイズを持つ重畳テキストを生成しても良い。しかしながら、該メディアプレイヤが５０インチのモニタに接続された場合、該プレイヤはフルウィンドウの高さの例えば２５分の１のサイズを持つ重畳テキストを生成しても良い。また、幾つかの実施例においては、二次的ビデオコンテンツの内容又は量が、それに応じて調節されても良い。例えば、音楽ビデオは、小型ディスプレイの場合にはタイトル／アーティストを示すテキストにより重畳され、より大きなディスプレイの場合には、曲の歌詞を示すテキストにより重畳され、非常に大きなディスプレイの場合には、例えばタイトルと歌詞とアーティストについての付加的な情報とを示すテキストにより重畳されても良い。異なるコンテンツの位置は、更に以上に説明した例に従って変更されても良い。
【０１４０】
幾つかの実施例においては、単一の供給源４０１は更に、好みプロファイル及び提示特性に応じて二次的ビデオコンテンツを生成しても良い。例えば、メディアプレイヤの例については、種々のビデオコンテンツに適した重畳コンテンツを示すプロファイルを、ユーザが定義しても良い。当該好適な重畳コンテンツは、特定の画像に重畳されるグラフィクスオブジェクト（花、ハート型、花火等のアイコン）のような特定のコンテンツアイテムに特有なものであっても良いし、又はより一般的な示唆（例えばユーザが該メディアプレイヤにおいて音楽ビデオを観る際にはピンク色のフレームを好む等）であっても良い。しかしながら、当該重畳のカスタマイズは、提示特性とは独立して実行されても良い。例えば、示唆される個人的な重畳コンテンツは、主ビデオコンテンツが小型の画面（例えば７インチ未満であり従ってメディアプレイヤが個人的な状況で利用されることを仮定している）で提示されるときにはいつでも含められるが、大きな画面に提示されるとき（個人的な状況である見込みがより少ない）には除去されても良い。
【０１４１】
幾つかの実施例においては、単一の供給源４０１（又はビデオ源１０３）は、提示パラメータに応じて第１のビデオコンテンツのパラメータを修正するように構成されても良い。例えばコンテンツ源５０１は、標準画質ビデオコンテンツを受信し、該コンテンツを高解像度にアップスケーリングするように構成され得る。斯かる状況においては、該アップスケーリングは、提示特性とは独立して実行されても良く、特に、主ビデオコンテンツがディスプレイに提示されるときに使用されていない領域に帰着するいずれの表示モードについてはスイッチオフされても良い。
【０１４２】
特に、２．３９：１のレターボックス型コンテンツを例えば１０８０画素の高解像度にアップスケーリングする場合、出力ビデオ信号は高解像度となるが、依然として黒色バーを含むこととなる。表示ユニット１０１は典型的には、該黒色バーを取り除き、その結果のコンテンツをディスプレイ２０１の最終的な１０８０本の線にアップスケーリングする。斯くして、本手法は、結果として品質の劣化を伴う、カスケード式アップスケーリングに帰着する。その代わりに、コンテンツ源５０１は、いずれのアップスケーリングをも回避し、ディスプレイ１０１による単一ステップの動作としてアップスケーリングが完全に実行されるようにしても良い。
【０１４３】
以上の記載は、明確さのため、種々の機能ユニット及びプロセッサと関連して本発明の実施例を説明したものであることは理解されるであろう。しかしながら、種々の機能ユニット又はプロセッサ間の機能のいずれの適切な分散もが、本発明から逸脱することなく利用され得ることは、明らかであろう。例えば、別個のプロセッサ又はコントローラにより実行されるように説明された機能は、同一のプロセッサ又はコントローラにより実行されても良い。それ故、特定の機能ユニットへの参照は、厳密な論理的又は物理的な構造を示すものではなく、単に説明された機能を提供するための適切な手段への参照として考えられるべきである。
【０１４４】
本発明は、ハードウェア、ソフトウェア、ファームウェア又はこれらのいずれかの組み合わせを含む、いずれの適切な形態で実装されても良い。本発明は任意に、少なくとも部分的に、１以上のデータプロセッサ及び／又はディジタル信号プロセッサ上で動作するコンピュータソフトウェアとして実装されても良い。本発明の実施例の要素は、物理的、機能的及び論理的に、いずれの適切な態様で実装されても良い。機能は単一のユニットで実装されても良いし、複数のユニットで実装されても良いし、又は他の機能ユニットの一部として実装されても良い。本発明は単一のユニットで実装されても良いし、種々のユニット及びプロセッサ間で物理的及び機能的に分散されても良い。
【０１４５】
本発明は幾つかの実施例と関連して説明されたが、本発明はここで開示された特定の形態に限定されることを意図したものではない。本発明の範囲は、添付する請求項によってのみ限定される。加えて、特徴が特定の実施例に関連して説明されたが、説明された実施例の種々の特徴は、本発明に従って組み合わせられても良いことは、当業者は理解するであろう。請求項において、「有する（comprise）」なる語は、他の要素又はステップの存在を除外するものではない。
【０１４６】
更に、複数の手段、要素又は方法ステップは、別個に列記されていても、例えば単一のユニット又はプロセッサにより実装されても良い。加えて、個々の特徴が異なる請求項に含められ得るが、これら特徴は有利に組み合わせられても良く、異なる請求項に含められていることは、これら特徴の組み合わせが利用可能ではない及び／又は有利ではないことを意味するものではない。或るカテゴリの請求項に特徴を含むことは、該カテゴリに対する限定を意味するものではなく、該特徴が他の請求項のカテゴリに適宜等しく適用可能であることを示す。更に、請求項における特徴の順序は、これら特徴が動作する順序を示すものではなく、またとりわけ、方法の請求項における個々のステップの順序は、これらステップが該順序で実行される必要があることを示すものではない。これらステップは、いずれの適切な順序で実行されても良い。加えて、単数形の参照は複数を除外するものではない。従って、「１つの（a、an）」、「第１の（first）」及び「第２の（second）」等への参照は、複数を除外するものではない。請求項における参照記号は単に例を明確にするためのものであり、いずれの態様においても請求の範囲を限定するものとして解釈されるべきではない。
［項目１］ディスプレイと、ディスプレイにおける提示のための第１のビデオコンテンツを有するビデオ信号を受信するための手段と、ディスプレイにおける第１のビデオコンテンツの提示のための第１の提示特性を決定するための手段と、第１の特性に応じて、第１のビデオコンテンツと同時のディスプレイにおける第２のビデオコンテンツの提示のための提示特性を決定するための手段と、提示特性を第２のビデオコンテンツの外部源に伝達するための手段と、を有し、提示特性は、第２のビデオコンテンツの提示のための表示ウィンドウのアスペクト比を含み、提示特性を決定するための手段は、アスペクト比に応じて、第２のビデオコンテンツの高さを修正する表示装置。
［項目２］提示特性は、第２のビデオコンテンツの提示のための表示ウィンドウのサイズと、第２のビデオコンテンツの提示のための表示ウィンドウの位置と、第１のビデオコンテンツの提示のための表示ウィンドウのサイズと、第１のビデオコンテンツの提示のための表示ウィンドウのアスペクト比と、第１のビデオコンテンツの提示のための表示ウィンドウの位置と、第２のビデオコンテンツの提示のための画素値範囲と、第１のビデオコンテンツの提示のための画素値範囲と、色特性と、のうちの少なくとも１を示す、項目１に記載の表示装置。
［項目３］提示特性は提示ウィンドウ特性である、項目１または２に記載の表示装置。
［項目４］表示装置は更に、ディスプレイのためのフル表示ウィンドウの示唆を外部源に伝達するように構成された、項目１から３の何れか１項に記載の表示装置。
［項目５］第１のビデオコンテンツのための種々の提示ウィンドウモード間を切り換えるように更に構成され、提示ウィンドウ特性は現在の提示ウィンドウモードを示す、項目３に記載の表示装置。
［項目６］提示特性は、出力ビデオ信号の現在の可視ウィンドウの特性を示し、提示特性を決定するための手段は、ビューモードが切り替わると、現在の可視ウィンドウ内となるように第２のビデオコンテンツを調節する
項目５に記載の表示装置。
［項目７］提示特性は、ディスプレイにおいて提示されたときの第１のビデオコンテンツの幾何学的歪を示す、項目１から６の何れか１項に記載の表示装置。
［項目８］提示特性は、第２のビデオコンテンツを提示するための二次的表示手段の利用可能性を示す、項目１から７の何れか１項に記載の表示装置。
［項目９］二次的表示手段は、ディスプレイから外に向けて光を放射する光源を有する
項目８に記載の表示装置。
［項目１０］ディスプレイを含む表示装置のための動作の方法であって、方法は、ディスプレイにおける提示のための第１のビデオコンテンツを有するビデオ信号を受信するステップと、ディスプレイにおける第１のビデオコンテンツの提示のための第１の提示特性を決定するステップと、第１の特性に応じて、第１のビデオコンテンツと同時のディスプレイにおける第２のビデオコンテンツの提示のための提示特性を決定するステップと、提示特性を第２のビデオコンテンツの外部源に伝達するステップと、を有し、提示特性は、第２のビデオコンテンツの提示のための表示ウィンドウのアスペクト比を含み、提示特性を決定するステップは、アスペクト比に応じて、第２のビデオコンテンツの高さを修正する方法。
【図１】
0005643964.tif 000002
【図２】
0005643964.tif 000003
【図３】
0005643964.tif 000004
【図４】
0005643964.tif 000005
【図５】
0005643964.tif 000006
【図６】
0005643964.tif 000007
【図７】
0005643964.tif 000008
【図８】
0005643964.tif 000009
【図９】
0005643964.tif 000010